(57)【要約】【課題】  暖房器具による暖房効率を良好に維持しつつ、暖房器具使用時の部屋の乾燥を好適に抑制することができ、メンテナンスに手間を要しない加湿器を提供する。【解決手段】  加湿器１０は、底壁１１Ａと、該底壁１１Ａの周縁から立設された筒状の周壁１１Ｂとにより、上面が開放された略箱状に形成され、内部に水を貯めることができる貯水槽１１を備えており、該貯水槽１１には、上記周壁１１Ｂの少なくとも一部を断面凹凸状にすることで熱交換部１３が設けられており、燃料に灯油又はガスを用いるファンヒーターに対して、該ファンヒーターの温風吹出口に上記熱交換部１３が向かい合うように、上記貯水槽１１を上記ファンヒーターの直近位置に配置し、上記温風吹出口から吹き出した直後の熱風を上記熱交換部１３に直接的に当てることで、該熱交換部１３を介して上記貯水槽１１の内部の水を加熱し、水蒸気を発生させる。【選択図】      図１
2015145754.tif 000002
【特許請求の範囲】
【請求項１】
底壁と、該底壁の周縁から立設された筒状の周壁とにより、上面が開放された略箱状に形成されており、内部に水を貯めることができるように構成された貯水槽を備えており、
上記貯水槽には、上記周壁の少なくとも一部を断面凹凸状にすることで熱交換部が設けられており、
燃料に灯油又はガスを用いるファンヒーターに対して、該ファンヒーターの温風吹出口に上記熱交換部が向かい合うように、上記貯水槽を上記ファンヒーターの直近位置に配置し、上記温風吹出口から吹き出した直後の熱風を上記熱交換部に直接的に当てることで、該熱交換部を介して上記貯水槽の内部の水を加熱し、水蒸気を発生させる
ことを特徴とする加湿器。
【請求項２】
上記ファンヒーターの温風吹出口から吹き出した直後の熱風を整流することにより、上記貯水槽の周囲における熱の拡散を抑制する整流体をさらに備えている
請求項１に記載の加湿器。
【請求項３】
上記熱交換部は、上下方向に伸びる溝状をなすように上記周壁を上記貯水槽の内側へ向かって凹ませてなる凹条壁の複数個を左右方向に並設することによって設けられており、該凹条壁にあっては上端が外部に対して閉塞されている
請求項１又は請求項２に記載の加湿器。
【発明の詳細な説明】
【技術分野】
【０００１】
本発明は、燃料に灯油又はガスを用いるファンヒーターとともに使用する加湿器に関するものである。
【背景技術】
【０００２】
一般的な暖房器具は、電力を用いたり、灯油やガス等の燃料を用いたりすることで熱を発生させ、これを温風として吹き出すように構成されているが、こうした暖房器具にあっては使用に際して部屋が乾燥することが問題視されている。こうした部屋の乾燥を防止するべく、水蒸気を発生させる加湿器が該暖房器具と併用されているが、一般的な加湿器は、構造が複雑なうえ、稼働に電力を必要とする。そこで、暖房器具から吹き出した温風を利用し、水蒸気を発生させることで、構造を簡易化し、稼働に電力を必要としない、例えば特許文献１や特許文献２に示されるような加湿器が提案されている。
【先行技術文献】
【特許文献】
【０００３】
【特許文献１】特開平１０−２０５８３８号公報
【特許文献２】特開２００１−４１５１３号公報
【発明の概要】
【発明が解決しようとする課題】
【０００４】
ところが、上記従来の加湿器において、特許文献１に記載のものは、暖房機が電力を用いるエアコンである場合、吹き出す温風の温度が低いため、毛細管現象を利用すれば水蒸気を発生させることは可能であるが、発生する水蒸気量が極僅かであり、部屋全体を潤す程の水蒸気量が得られないという問題があった。また特許文献２に記載のものは、暖房機から吹き出す温風の一部を加湿器内へ迂回させて該温風で水を加熱して水蒸気を発生させるものであるが、該水蒸気を発生させるために迂回された温風は、該加湿器の蒸気吹出口から吹き出すときに温度が極端に下がってしまっているので、暖房効率が低下してしまうという問題があった。さらに特許文献１や特許文献２のように、従来の加湿器は、フィルタ等に水を吸わせて、該水を気化させる構成のものが一般的であるが、こうしたフィルタ等を使用するものは該フィルタ等にカビや雑菌が発生しやすく、該フィルタ等の洗浄や交換といったメンテナンスに手間を要するという問題があった。
本発明は、上記従来技術に存在する問題点に着目してなされたものである。その目的とするところは、暖房器具による暖房効率を良好に維持しつつ、暖房器具使用時の部屋の乾燥を好適に抑制することができ、メンテナンスに手間を要しない加湿器を提供することにある。
【課題を解決するための手段】
【０００５】
上記問題点を解消する手段として、請求項１に記載の加湿器の発明は、底壁と、該底壁の周縁から立設された筒状の周壁とにより、上面が開放された略箱状に形成されており、内部に水を貯めることができるように構成された貯水槽を備えており、上記貯水槽には、上記周壁の少なくとも一部を断面凹凸状にすることで熱交換部が設けられており、燃料に灯油又はガスを用いるファンヒーターに対して、該ファンヒーターの温風吹出口に上記熱交換部が向かい合うように、上記貯水槽を上記ファンヒーターの直近位置に配置し、上記温風吹出口から吹き出した直後の熱風を上記熱交換部に直接的に当てることで、該熱交換部を介して上記貯水槽の内部の水を加熱し、水蒸気を発生させることを要旨とする。
請求項２に記載の発明は、請求項１に記載の加湿器の発明において、上記ファンヒーターの温風吹出口から吹き出した直後の熱風を整流することにより、上記貯水槽の周囲における熱の拡散を抑制する整流体をさらに備えていることを要旨とする。
請求項３に記載の発明は、請求項１又は請求項２に記載の加湿器の発明において、上記熱交換部は、上下方向に伸びる溝状をなすように上記周壁を上記貯水槽の内側へ向かって凹ませてなる凹条壁の複数個を左右方向に並設することによって設けられており、該凹条壁にあっては上端が外部に対して閉塞されていることを要旨とする。
【発明の効果】
【０００６】
〔作用〕
本発明の加湿器は、内部に水を貯めることができるように構成された貯水槽を有しており、該貯水槽をファンヒーターの直近位置に配置し、該貯水槽に設けられた熱交換部にファンヒーターの温風吹出口から吹き出した直後の熱風を当てることにより、該熱風を利用して水蒸気を発生させるものであるから、加湿器を稼働させるために電力を必要としない。加えて、本発明の加湿器は、温風吹出口から吹き出した直後の熱風を直接的に熱交換部に当てることで、該熱風による熱を以て貯水槽の内部の水で湯を沸かせて水蒸気を発生させるように構成したことにより、通常のフィルタ等に水を吸わせて気化させるもののように該フィルタ等の洗浄や交換といったメンテナンスの手間を要せず、衛生的であり、かつ水蒸気を発生させるための熱効率が良好である。さらに、熱交換部に当った熱風はそのまま温風として部屋内に広がるため、水蒸気を発生させるべく熱風を利用しても、部屋内に広がる温風の温度が極端に下がることがなく、好適な暖房効率が維持される。
また本発明の加湿器は、上記熱風を整流して、上記貯水槽の周囲における熱の拡散を抑制する整流体を設けることにより、水蒸気を発生させるための熱効率をさらに良好なものとすることが出来る。
また本発明の加湿器は、上記熱交換部を上下方向に伸びる凹条壁の複数個によって構成し、該凹条壁の上端を外部に対して閉塞した構成とすることで、該凹条壁の内側に熱風を導きやすく、かつ該凹条壁の内側に熱風を一時的に留めることができるから、水蒸気を発生させるための熱効率を非常に良好なものとすることが出来る。
【０００７】
〔効果〕
本発明にあっては、暖房器具による暖房効率を良好に維持しつつ、暖房器具使用時の部屋の乾燥を好適に抑制することができ、メンテナンスに手間を要しない加湿器を提供することができる。
【図面の簡単な説明】
【０００８】
【図１】実施形態の加湿器を示す斜視図。
【図２】使用状態における加湿器を示す説明図。
【図３】凹条壁内における熱風の流れを示す断面図。
【発明を実施するための形態】
【０００９】
本発明の加湿器の一実施形態を以下に詳細に説明する。
図１に示すように、加湿器１０は、貯水槽１１と、整流体１２とを備えており、該整流体１２の上部に該貯水槽１１が配置されるように構成されている。
上記貯水槽１１は、底壁１１Ａと、該底壁１１Ａの周縁から立設された筒状の周壁１１Ｂとにより、上面が開放された略箱状に形成されており、内部に水を貯めることができるように構成されている。そして、該貯水槽１１にあっては、該周壁１１Ｂの正面部分を断面凹凸状にすることで熱交換部１３が設けられている。なお、特に図示しないが、該貯水槽１１には持ち手が取り付けられており、該貯水槽１１を容易に持ち運びできるようになっている。
【００１０】
上記整流体１２は、底板１２Ａと、該底板１２Ａの周縁から立設された整流板１２Ｂとにより、上面及び正面が開放された形状に形成されている。該整流板１２Ｂは、背面部分が湾曲面となるように形成されており、該整流板１２Ｂに熱風が当たると、該熱風を拡散させずに該整流体１２の内側に留めるように機能する。また該整流板１２Ｂの内面上端部には、フランジ１２Ｃが突設されている。該フランジ１２Ｃは、その上面に上記貯水槽１１が載置されることにより、該貯水槽１１の底部を下方から支えている。さらに該整流板１２Ｂの中央で下端部には、送風窓１２Ｄが開口形成されており、該整流体１２の内側に留められた熱風の一部は、該送風窓１２Ｄから温風となって外部へ送り出される。
【００１１】
上記熱交換部１３は、複数個（図１中で８個）の凹条壁１４を左右方向に並設することによって設けられている。該凹条壁１４は、上下方向に伸びる溝状をなすように、上記周壁１１Ｂの正面部分を上記貯水槽１１の内側へ向かって凹ませることによって形成されたものである。また、該凹条壁１４は、外部に対して正面及び下端を開放されたままとしつつ、上端に閉塞板１４Ａを取り付けることにより、上端が外部に対して閉塞されている。
【００１２】
図２に示すように、上記加湿器１０は、上記貯水槽１１に設けられた熱交換部１３がファンヒーター１の温風吹出口２に向かい合うように、上記貯水槽１１を該ファンヒーター１の温風吹出口２の直近位置に配置して使用する。即ち、該ファンヒーター１で該温風吹出口２の直近位置にあっては、該温風吹出口２から熱風が吹き出しており、この温風吹出口２から吹き出した直後の熱風が、上記熱交換部１３に直接的に当たることになる。
図３に示すように、上記熱交換部１３に直接的に当たった熱風は、開放されている凹条壁１４の正面から内部に入り込み、該凹条壁１４の内部を上昇する。一方、該凹条壁１４の上端が閉塞板１４Ａによって閉塞されているため、該凹条壁１４の内部を上昇した熱風は、図３中に矢印で示すように閉塞板１４Ａに当たることで外部へ抜け出すことを抑制され、該凹条壁１４の内部に停滞するか、あるいは正面側へと抜け出て上記温風吹出口２から吹き出した直後の熱風により、高い温度に保たれる。そして、該凹条壁１４の内部に存在する熱風の熱が、該凹条壁１４（周壁１１Ｂ）を介して貯水槽１１の内部の水Ｗに伝わり、該水を直接的に加熱することで、該水から湯が沸き、水蒸気が発生する。
【００１３】
上記貯水槽１１の内部は、上記複数個の凹条壁１４同士の間で小部屋に区分けされている。このため、該貯水槽１１の内部の水全体を一度に加熱するのではなく、該小部屋に入り込んだ水を小分けして集中的に加熱することで、湯を沸かせて水蒸気を発生させるための熱効率の向上が図られている。
また上記加湿器１０は、熱風の熱により、水を直接的に加熱し、該水から湯を沸かせて水蒸気を発生させる構成としたため、一般的な水を気化させるためにフィルタ等を用いる加湿器に比べて、該フィルタ等の清掃や交換といったメンテナンスに手間を要しない。
更に、上記整流体１２を上記貯水槽１１の下部に配置したことにより、該整流体１２で整流された熱風が上昇して効率よく該貯水槽１１に当たるように構成されている。加えて、該整流体１２には送風窓１２Ｄが設けられ、該送風窓１２Ｄから温風が外部へ送り出されるため、暖房効率の低下が抑制されている。
上記加湿器１０は、燃料に灯油又はガスを用いるファンヒーターで使用する。これは、例えばエアコンの温風の温度は気温＋約１０℃であるが、燃料に灯油又はガスを用いるファンヒーターは、温風吹出口２から吹き出した直後の熱風の温度が約８０℃であり、水蒸気を発生させるための熱効率が良いためである。
【産業上の利用可能性】
【００１４】
本発明では、暖房器具による暖房効率を良好に維持しつつ、暖房器具使用時の部屋の乾燥を好適に抑制することができ、メンテナンスに手間を要しない加湿器が提供されるから産業上利用可能である。
【符号の説明】
【００１５】
１      ファンヒーター
２      温風吹出口
１０    加湿器
１１    貯水槽
１１Ａ  底壁
１１Ｂ  周壁
１２    整流体
１２Ａ  底板
１２Ｂ  整流板
１２Ｃ  フランジ
１３    熱交換部
１４    凹条壁
１４Ａ  閉塞板
【図１】
2015145754.tif 000003
【図２】
2015145754.tif 000004
【図３】
2015145754.tif 000005
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
底壁と、該底壁の周縁から立設された筒状の周壁とにより、上面が開放された略箱状に形成されており、内部に水を貯めることができるように構成された貯水槽を備えており、
上記貯水槽には、上記周壁の少なくとも一部を断面凹凸状にすることで熱交換部が設けられており、
燃料に灯油又はガスを用いるファンヒーターに対して、該ファンヒーターの温風吹出口に上記熱交換部が向かい合うように、上記貯水槽を上記ファンヒーターの直近位置に配置し、上記温風吹出口から吹き出した直後の熱風を上記熱交換部に直接的に当てることで、該熱交換部を介して上記貯水槽の内部の水を加熱し、水蒸気を発生させる加湿器であり、
上記熱交換部は、上下方向に伸びる溝状をなすように上記周壁を上記貯水槽の内側へ向かって凹ませてなる凹条壁の複数個を左右方向に並設することによって設けられており、該凹条壁にあっては上端が外部に対して閉塞されている
ことを特徴とする加湿器。
【請求項２】
上記ファンヒーターの温風吹出口から吹き出した直後の熱風を整流することにより、上記貯水槽の周囲における熱の拡散を抑制する整流体をさらに備えている
請求項１に記載の加湿器。
【手続補正２】
【補正対象書類名】明細書
【補正対象項目名】０００５
【補正方法】変更
【補正の内容】
【０００５】
上記問題点を解消する手段として、請求項１に記載の加湿器の発明は、底壁と、該底壁の周縁から立設された筒状の周壁とにより、上面が開放された略箱状に形成されており、内部に水を貯めることができるように構成された貯水槽を備えており、上記貯水槽には、上記周壁の少なくとも一部を断面凹凸状にすることで熱交換部が設けられており、燃料に灯油又はガスを用いるファンヒーターに対して、該ファンヒーターの温風吹出口に上記熱交換部が向かい合うように、上記貯水槽を上記ファンヒーターの直近位置に配置し、上記温風吹出口から吹き出した直後の熱風を上記熱交換部に直接的に当てることで、該熱交換部を介して上記貯水槽の内部の水を加熱し、水蒸気を発生させる加湿器であり、上記熱交換部は、上下方向に伸びる溝状をなすように上記周壁を上記貯水槽の内側へ向かって凹ませてなる凹条壁の複数個を左右方向に並設することによって設けられており、該凹条壁にあっては上端が外部に対して閉塞されていることを要旨とする。
請求項２に記載の発明は、請求項１に記載の加湿器の発明において、上記ファンヒーターの温風吹出口から吹き出した直後の熱風を整流することにより、上記貯水槽の周囲における熱の拡散を抑制する整流体をさらに備えていることを要旨とする。
【手続補正３】
【補正対象書類名】明細書
【補正対象項目名】０００６
【補正方法】変更
【補正の内容】
【０００６】
〔作用〕
本発明の加湿器は、内部に水を貯めることができるように構成された貯水槽を有しており、該貯水槽をファンヒーターの直近位置に配置し、該貯水槽に設けられた熱交換部にファンヒーターの温風吹出口から吹き出した直後の熱風を当てることにより、該熱風を利用して水蒸気を発生させるものであるから、加湿器を稼働させるために電力を必要としない。加えて、本発明の加湿器は、温風吹出口から吹き出した直後の熱風を直接的に熱交換部に当てることで、該熱風による熱を以て貯水槽の内部の水で湯を沸かせて水蒸気を発生させるように構成したことにより、通常のフィルタ等に水を吸わせて気化させるもののように該フィルタ等の洗浄や交換といったメンテナンスの手間を要せず、衛生的であり、かつ水蒸気を発生させるための熱効率が良好である。さらに、熱交換部に当った熱風はそのまま温風として部屋内に広がるため、水蒸気を発生させるべく熱風を利用しても、部屋内に広がる温風の温度が極端に下がることがなく、好適な暖房効率が維持される。
更に、本発明の加湿器は、上記熱交換部を上下方向に伸びる凹条壁の複数個によって構成し、該凹条壁の上端を外部に対して閉塞した構成とすることで、該凹条壁の内側に熱風を導きやすく、かつ該凹条壁の内側に熱風を一時的に留めることができるから、水蒸気を発生させるための熱効率を非常に良好なものとすることが出来る。
また本発明の加湿器は、上記熱風を整流して、上記貯水槽の周囲における熱の拡散を抑制する整流体を設けることにより、水蒸気を発生させるための熱効率をさらに良好なものとすることが出来る。